【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
通信装置であって、
近距離無線通信手段と、
前記通信装置が電源オフ状態である場合に前記近距離無線通信手段に保持させるデータを、複数の候補データの中からユーザ指示に従って選択する選択手段と、
前記通信装置が前記電源オフ状態に移行することを検知する検知手段と、
前記通信装置が前記電源オフ状態に移行することを前記検知手段が検知した場合に、前記選択手段によって選択されたデータを前記近距離無線通信手段に保持させ、前記近距離無線通信手段の動作モードとしてカードエミュレーションモードを設定する制御手段と
を備えることを特徴とする通信装置。
【請求項２】
通信装置であって、
近距離無線通信手段と、
前記通信装置が省電力状態である場合に前記近距離無線通信手段に保持させるデータを、複数の候補データの中からユーザ指示に従って選択する選択手段と、
前記通信装置が前記省電力状態に移行することを検知する検知手段と、
前記通信装置が前記省電力状態に移行することを前記検知手段が検知した場合に、前記選択手段によって選択されたデータを前記近距離無線通信手段に保持させ、前記近距離無線通信手段の動作モードとしてカードエミュレーションモードを設定する制御手段と
を備えることを特徴とする通信装置。
【請求項３】
前記通信装置においてエラーが発生している場合、前記制御手段は、前記選択手段によって選択されたデータではなく前記エラーに関するエラー情報を前記近距離無線通信手段に保持させることを特徴とする請求項１又は２に記載の通信装置。
【請求項４】
前記近距離無線通信手段に保持させるデータを前記複数の候補データの中からユーザが選択する選択画面を表示する表示手段を更に備え、
前記選択手段は、前記選択画面を介して入力されたユーザ指示に従って、前記近距離無線通信手段に保持させるデータを選択することを特徴とする請求項１乃至３のいずれか１項に記載の通信装置。
【請求項５】
前記複数の候補データには、前記通信装置のアドレスが含まれることを特徴とする請求項１乃至４のいずれか１項に記載の通信装置。
【請求項６】
前記近距離無線通信手段は、ＮＦＣによる通信を実行することを特徴とする請求項１乃至５のいずれか１項に記載の通信装置。
【請求項７】
前記通信装置は、印刷装置であることを特徴とする請求項１乃至６のいずれか１項に記載の通信装置。
【請求項８】
近距離無線通信手段を備える通信装置の制御方法であって、
前記通信装置が電源オフ状態である場合に前記近距離無線通信手段に保持させるデータを、複数の候補データの中からユーザ指示に従って選択する選択ステップと、
前記通信装置が前記電源オフ状態に移行することを検知する検知ステップと、
前記通信装置が前記電源オフ状態に移行することが前記検知ステップで検知された場合に、前記選択ステップで選択されたデータを前記近距離無線通信手段に保持させ、前記近距離無線通信手段の動作モードとしてカードエミュレーションモードを設定する制御ステップと
を有することを特徴とする通信装置の制御方法。
【請求項９】
近距離無線通信手段を備える通信装置の制御方法であって、
前記通信装置が省電力状態である場合に前記近距離無線通信手段に保持させるデータを、複数の候補データの中からユーザ指示に従って選択する選択ステップと、
前記通信装置が前記省電力状態に移行することを検知する検知ステップと、
前記通信装置が前記省電力状態に移行することが前記検知ステップで検知された場合に、前記選択ステップで選択されたデータを前記近距離無線通信手段に保持させ、前記近距離無線通信手段の動作モードとしてカードエミュレーションモードを設定する制御ステップと
を有することを特徴とする通信装置の制御方法。
【請求項１０】
請求項８又は９に記載の通信装置の制御方法の各ステップをコンピュータに実行させるためのプログラム。
【手続補正２】
【補正対象書類名】明細書
【補正対象項目名】０００９
【補正方法】変更
【補正の内容】
【０００９】
本発明は、例えば、通信装置として実現できる。本発明の一態様に係る通信装置は、近距離無線通信手段と、前記通信装置が電源オフ状態である場合に前記近距離無線通信手段に保持させるデータを、複数の候補データの中からユーザ指示に従って選択する選択手段と、前記通信装置が前記電源オフ状態に移行することを検知する検知手段と、前記通信装置が前記電源オフ状態に移行することを前記検知手段が検知した場合に、前記選択手段によって選択されたデータを前記近距離無線通信手段に保持させ、前記近距離無線通信手段の動作モードとしてカードエミュレーションモードを設定する制御手段とを備えることを特徴とする。
また、本発明の他の一態様に係る通信装置は、近距離無線通信手段と、前記通信装置が省電力状態である場合に前記近距離無線通信手段に保持させるデータを、複数の候補データの中からユーザ指示に従って選択する選択手段と、前記通信装置が前記省電力状態に移行することを検知する検知手段と、前記通信装置が前記省電力状態に移行することを前記検知手段が検知した場合に、前記選択手段によって選択されたデータを前記近距離無線通信手段に保持させ、前記近距離無線通信手段の動作モードとしてカードエミュレーションモードを設定する制御手段とを備えることを特徴とする。
【手続補正３】
【補正対象書類名】明細書
【補正対象項目名】００１１
【補正方法】変更
【補正の内容】
【００１１】
【図１】システム全体の構成例を示す図。
【図２】第１の実施形態に係る画像形成装置１００の構成例を示すブロック図。
【図３】第１の実施形態に係る画像形成装置１００の外観を示す図。
【図４】第１の実施形態に係る画像形成装置１００における、ＮＦＣ送信用データの設定処理の手順を示すフローチャート。
【図５】第１の実施形態に係る画像形成装置１００における、設定データの登録及び変更を行うためのＵＩ画面の構成例を示す図。
【図６】第１の実施形態に係る画像形成装置１００内で管理されている、設定データ及び選択フラグの一例を示す図。
【図７】第２の実施形態に係る携帯端末３００の構成例を示すブロック図。
【図８】第２の実施形態に係る携帯端末３００の外観を示す図。
【図９】第２の実施形態に係る携帯端末３００における、ＮＦＣ送信用データの登録を行うためのＵＩ画面の構成例を示す図。
【図１０】第２の実施形態に係る携帯端末３００における、ＮＦＣ送信用データの登録処理の手順を示すフローチャート。
【図１１】第２の実施形態に係る携帯端末３００における、ＮＦＣ送信用データの設定処理の手順を示すフローチャート。
【図１２】第３の実施形態に係る画像形成装置１００における、エラー情報をＮＦＣ送信用データとして登録する処理の手順を示すフローチャート。
【図１３】第３の実施形態に係る画像形成装置１００における、ＮＦＣ送信用データの設定処理の手順を示すフローチャート。
【図１４】第３の実施形態に係る画像形成装置１００における、ＮＦＣ送信用データを変更及び削除するためのＵＩ画面の構成例を示す図。
【手続補正４】
【補正対象書類名】明細書
【補正対象項目名】００３４
【補正方法】変更
【補正の内容】
【００３４】
Ｓ１０１で、ＣＰＵ１０１は、ユーザ操作によって設定データの登録指示が行われたか否かを判定する。設定データの登録指示が行われた場合（Ｓ１０１で「Ｙｅｓ」）、ＣＰＵ１０１は、Ｓ１０２で、操作部１２０を介してユーザから設定データの入力を受け付ける。Ｓ１０２で、ＣＰＵ１０１は、入力された設定データを操作部Ｉ／Ｆ１０５からシステムバス１１４を介して受信すると、受信した設定データをＲＡＭ１０２またはＨＤＤ１０４に格納することで、設定データとして登録する。その後、処理をＳ１０６に進める。
【手続補正５】
【補正対象書類名】明細書
【補正対象項目名】００４８
【補正方法】変更
【補正の内容】
【００４８】
図５（Ｂ）は、図５（Ａ）に示すＵＩ画面においてユーザが「ＴＣＰ／ＩＰ設定」ボタン１７３を押下したことによって、ＴＣＰ／ＩＰ設定ウィンドウ１８１が操作部１２０に表示された例を示している。ＴＣＰ／ＩＰ設定ウィンドウ１８１において、ＩＰアドレス表示欄１８２には、ＲＡＭ１０２またはＨＤＤ１０４に格納されているＩＰアドレスが表示される。ゲートウェイアドレス表示欄１８３には、ＲＡＭ１０２またはＨＤＤ１０４に格納されているゲートウェイアドレスが表示される。テンキー１８５は、画像形成装置１００においてＲＡＭ１０２またはＨＤＤ１０４に保持されており、表示欄１８２，１８３に表示されているＩＰアドレスやゲートウェイアドレス等の設定情報（設定データ）を変更するために使用される。ＯＫボタン１８８は、ＴＣＰ／ＩＰ設定ウィンドウ１８１に表示されている設定情報を、画像形成装置１００に登録（Ｓ１０２）することを指示するために用いられる。キャンセルボタン１８９は、ＴＣＰ／ＩＰ設定ウィンドウ１８１に表示されている設定情報を、画像形成装置１００に登録せず、表示画面を図５（Ａ）に示すＵＩ画面に戻すために用いられる。
【手続補正６】
【補正対象書類名】明細書
【補正対象項目名】００５７
【補正方法】変更
【補正の内容】
【００５７】
ＣＰＵ３０１は、携帯端末３００全体を制御する。ＲＡＭ３０２は、ＣＰＵ３０１が演算に用いるデータを一時的に格納するためのワークメモリとして使用される、揮発性のメモリである。フラッシュＲＯＭ３０３は、ＣＰＵ３０１が使用するプログラムや各種データを格納する、書き換え可能な不揮発性のメモリである。操作部３０４は、液晶ディスプレイ（ＬＣＤ）及びタッチパネルを備え、携帯端末３００のユーザに対し、携帯端末３００へユーザ操作によって情報を入力するための入力Ｉ／Ｆ、及び情報を出力するための出力Ｉ／Ｆとして機能する。
【手続補正７】
【補正対象書類名】明細書
【補正対象項目名】００６２
【補正方法】変更
【補正の内容】
【００６２】
＜ＮＦＣ送信用データの登録例＞
図９は、本実施形態に係る携帯端末３００における、ＮＦＣ送信用データの登録を行うためのＵＩ画面の構成例を示す図である。図９に示すＵＩ画面は、携帯端末３００上で動作するアドレス帳プログラムをＣＰＵ３０１が実行した際に操作部３０４に表示される、アドレス情報を登録するための登録画面の一例を示している。